(57)【特許請求の範囲】
【請求項１】
高圧放電ランプに用いられるランプソケットであって、電子的な構成部材のための組付けボード（５０）と、電圧源を当該ランプソケット（２）に接続するための雌形コネクタ（４０）とが設けられている形式のものにおいて、
ランプソケット（２）が、雌形コネクタ（４０）を収容するための切欠きを有する側壁（２１５１）を備えたソケット外側部分（２１）を有しており、
雌形コネクタ（４０）が、組付けボード（５０）に表面組付けされる構成部材として形成されており、
雌形コネクタ（４０）が、プラスチックハウジング（４１）を有しており、該プラスチックハウジング（４１）が、一体成形された第１のピン（４３）を備えており、該ピン（４３）が、組付けボード（５０）の適切な切欠き内に係合するようになっており、
プラスチックハウジング（４１）が、プラスチック射出成形部分として形成されていて、少なくとも１つの金属製のコンタクトピン（４２）を有しており、該コンタクトピン（４２）が、プラスチック射出成形部分（４１）の材料に埋め込まれており、
少なくとも１つの金属製のコンタクトピン（４２）は、組付けボード（５０）の導体路にはんだ付けされた第１の端部（４２１）と、雄形コネクタが雌形コネクタ（４０）の開口（４５）を介して接近することができる第２の端部とを有しており、プラスチックハウジング（４１）が、一体成形された第２のピン（４４）を備えており、該ピン（４４）が、当該ランプソケット（２）の適切な切欠き（２１９）内に係合するようになっていることを特徴とする、高圧放電ランプに用いられるランプソケット。
【請求項２】
第１のピン（４３）および／または第２のピン（４４）が、六角ピンまたは八角ピンとして形成されており、切欠き（２１９）が、円筒状のジオメトリを有している、請求項１記載のランプソケット。
【請求項３】
高圧放電ランプであって、ランプソケット（２）と、該ランプソケット（２）に配置された、電子的な構成部材のための組付けボード（５０）と、電圧源を当該高圧放電ランプに接続するための雌形コネクタ（４０）とが設けられている形式のものにおいて、
ランプソケット（２）が、雌形コネクタ（４０）を収容するための切欠きを有する側壁（２１５１）を備えたソケット外側部分（２１）を有しており、
雌形コネクタ（４０）が、組付けボード（５０）に表面組付けされる構成部材として形成されており、
雌形コネクタ（４０）が、プラスチックハウジング（４１）を有しており、該プラスチックハウジング（４１）が、一体成形された第１のピン（４３）を備えており、該ピン（４３）が、組付けボード（５０）の適切な切欠き内に係合するようになっており、
プラスチックハウジング（４１）が、プラスチック射出成形部分として形成されていて、少なくとも１つの金属製のコンタクトピン（４２）を有しており、該コンタクトピン（４２）が、プラスチック射出成形部分（４１）の材料に埋め込まれており、
少なくとも１つの金属製のコンタクトピン（４２）は、組付けボード（５０）の導体路にはんだ付けされた第１の端部（４２１）と、雄形コネクタが雌形コネクタ（４０）の開口（４５）を介して接近することができる第２の端部とを有しており、プラスチックハウジング（４１）が、一体成形された第２のピン（４４）を備えており、該ピン（４４）が、ランプソケット（２）の適切な切欠き（２１９）内に係合するようになっていることを特徴とする、高圧放電ランプ。
【請求項４】
第１のピン（４３）および／または第２のピン（４４）が、六角ピンまたは八角ピンとして形成されており、切欠き（２１９）が、円筒状のジオメトリを有している、請求項３記載の高圧放電ランプ。
【発明の詳細な説明】
【技術分野】
【０００１】
本発明は、高圧放電ランプに用いられるランプソケットであって、電子的な構成部材のための組付けボードと、電圧源を当該ランプソケットに接続するための雌形コネクタとが設けられている形式のものに関する。
【０００２】
さらに、本発明は、高圧放電ランプであって、ランプソケットと、該ランプソケットに配置された、電子的な構成部材のための組付けボードと、電圧源を当該高圧放電ランプに接続するための雌形コネクタとが設けられている形式のものに関する。
【背景技術】
【０００３】
このような形式のランプソケットおよび高圧放電ランプは、たとえば国際公開第００／５９２６９号パンフレットに開示されている。この刊行物には、ランプソケットを備えた高圧放電ランプが記載されている。ランプソケットは、プラスチックから成るソケット外側部分を有している。このソケット外側部分は、高圧放電ランプへの給電のための雌形コネクタを備えている。この雌形コネクタのハウジングはソケット外側部分の一部として形成されている。これによって、雌形コネクタの金属製のコンタクトピンが、ソケット組付けの間、高圧放電ランプの、ランプソケット内に配置された電気的な構成部材にコンタクティング（接触接続）されなければならない。
【特許文献１】国際公開第００／５９２６９号パンフレット
【発明の開示】
【発明が解決しようとする課題】
【０００４】
本発明の課題は、改善された電気的な接続部を備えた、高圧放電ランプに用いられるランプソケットおよび高圧放電ランプを提供することである。
【課題を解決するための手段】
【０００５】
この課題を解決するために本発明のランプソケットでは、雌形コネクタが、組付けボードに表面組付けされる構成部材として形成されているようにした。
【０００６】
さらに、この課題を解決するために本発明の高圧放電ランプでは、雌形コネクタが、組付けボードに表面組付けされる構成部材として形成されているようにした。
【０００７】
本発明の特に有利な構成は従属請求項に記載してある。
【発明の効果】
【０００８】
本発明によるランプソケットは、電子的な構成部材、有利には、高圧放電ランプに用いられる始動装置の電子的な構成部材のための組付けボードと、電圧源をランプソケットに接続するための雌形コネクタとを有している。この場合、この雌形コネクタは、本発明によれば、組付けボードに表面組付けされる構成部材として形成されている。この手段によって、前製造された雌形コネクタをすでにソケット組付け前に別の電子的な構成部材と一緒に組付けボードに組み付けることができ、次いで、完全に装着された組付けボードがランプソケットに挿入される。これによって、ランプソケットもしくは高圧放電ランプの組付けが簡単になる。さらに、これによって、雌形コネクタのハウジングを一体に形成することができ、これによって、ハウジングに雌形コネクタの金属製のコンタクトピンを埋め込むために、ハウジングに対して、有利にはプラスチック射出成形技術を使用することができる。これによって、雌形コネクタの金属製のコンタクトピンが雌形コネクタハウジングの材料に埋め込まれていると共に位置固定されている。
【０００９】
雌形コネクタの位置固定は、有利には第１のピンによって実施される。この第１のピンは、雌形コネクタの、プラスチック射出成形技術で形成されたハウジングと一体に形成されていて、組付けボードの適切な切欠き内に係合する。組付けボードと、この組付けボードに位置固定された雌形コネクタとから成る構成ユニットをランプソケットに固定するためには、雌形コネクタハウジングに第２のピンが一体成形されている。この第２のピンは、ランプソケットの壁に設けられた適切に成形された切欠き内に係合する。第１のピンと第２のピンとは、雌形コネクタへの（雄形）コネクタの導入時のかつ雌形コネクタからの（雄形）コネクタの引出し時の雌形コネクタの、組付けボードの導体路にはんだ付けされた金属製のコンタクトピンの引張り負荷軽減および押圧負荷軽減を保証している。前述した両ピンは、有利には六角ピンまたは八角ピンとして形成されており、ピンに調和された切欠きは、有利には円筒状のジオメトリを有しており、これによって、差込み結合が可能となる。この形状付与によって、切欠き内でのピンのプレス嵌めが保証されるので、雌形コネクタを組付けボードもしくはランプソケットに位置固定するための別の手段は不要となる。
【００１０】
本発明による高圧放電ランプは、ランプソケットと、このランプソケットに配置された、有利には高圧放電ランプの始動装置の構成要素である電子的な構成部材のための組付けボードと、電圧源を高圧放電ランプに接続するための雌形コネクタとを有している。この場合、本発明によれば、この雌形コネクタが、組付けボードに表面組付けされる構成部材として形成されている。すでに上述したように、この手段によって、前製造された雌形コネクタをすでにソケット組付け前に別の電子的な構成部材と一緒に組付けボードに組み付けることができ、次いで、完全に装着された組付けボードが高圧放電ランプのランプソケットに挿入される。これによって、高圧放電ランプの組付けが簡単になる。
【００１１】
本発明による高圧放電ランプのランプソケットは、有利には、本発明によるランプソケットに関連してすでに上述した同一の有利な特徴を有している。本発明は、有利には、ランプソケット内に組み込まれた始動装置を備えた高圧放電ランプ、特に自動車前照灯のための高圧放電ランプに使用することができる。
【発明を実施するための最良の形態】
【００１２】
以下に、本発明を実施するための最良の形態を図面につき詳しく説明する。
【００１３】
図５には、本発明の有利な実施例による高圧放電ランプが示してある。この高圧放電ランプは、ランプソケット内に組み込まれたパルス始動装置を備えたメタルハライド高圧放電ランプである。この高圧放電ランプは、自動車前照灯に光源として使用するために設けられている。
【００１４】
高圧放電ランプは、ガラス製の外側バルブ１２によって取り囲まれた、石英ガラスから成る放電容器１１を有している。この放電容器１１内には、ガス放電を発生させるための電極１３，１４が配置されている。この電極１３，１４は、それぞれ放電容器１１から導出された給電部１５；１６に接続されている。この給電部１５；１６を介して電極１３，１４に電気的なエネルギが供給される。放電容器１１と外側バルブ１２とから成る構成ユニット１はランプソケット２に位置固定されている。このランプソケット２はソケット外側部分２１と、このソケット外側部分２１のチャンバを閉鎖するカバー２２と、高圧放電ランプへの給電のための雌形コネクタ４０とを有している。
【００１５】
図４に示したソケット外側部分２１はほぼ正方形の横断面を有している。ソケット外側部分２１の内室は分離壁２１３によって、互いに異なる大きさの２つのチャンバ２１４，２１５に分割される。小さい方の第１のチャンバ２１４は、棒状鉄心変圧器（図示せず）を収容するために設けられている。この棒状鉄心変圧器は、高圧放電ランプの、ランプソケット２内に収納されたパルス始動装置のための始動変圧器として働く。大きい方の第２のチャンバ２１５内には、パルス始動装置（図示せず）の残りの構成要素が配置されている。ソケット外側部分２１には電気的なコンタクトエレメントが埋め込まれている。この電気的なコンタクトエレメントの第１の端部３１は第１のチャンバ２１４内に延びていて、棒状鉄心変圧器の組付け後、この棒状鉄心変圧器の、高電圧を案内する始動電圧出口に溶接されている。電気的なコンタクトエレメント３の、高圧放電ランプの内側の給電部１５のための一貫して延びる孔３３を備えた第２の端部３２は第２のチャンバ２１５内に延びている。ソケット外側部分２１内にはトラフ２１７１が設けられている。このトラフ２１７１は中空円筒状のウェブ２１７によって仕切られる。コンタクトエレメントの第２の端部３２はトラフ底部の一部を形成している。コンタクトエレメントの第２の端部３２への内側の給電部１５の溶接後、トラフ２１７１が、電気的に絶縁性の封止材料で充填されるので、両ランプ構成要素１５，３２の間の溶接箇所は封止材料内に埋め込まれている。放電容器１１の、ソケットから遠い方の端部から突出した外側の給電部１６の、ソケット２内に戻し案内された端部は、中空円筒状のウェブ２１８内に延びている。このウェブ２１８も同じくソケット外側部分２１に一体成形されている。別の中空円筒状のウェブ２１９は、図１〜図３に示した雌形コネクタ４０を固定するために働く。この雌形コネクタ４０は、電圧源を高圧放電ランプに接続するために働く。
【００１６】
雌形コネクタ４０はハウジング４１を有している。このハウジング４１はプラスチック射出成形部分として形成されていて、ポリアミドから成っている。ハウジング４１の材料には、金属製の３つのコンタクトピン４２が埋め込まれている。これらのコンタクトピン４２は高圧放電ランプの電気的な接続部を形成している。コンタクトピン４２のそれぞれ一方の端部４２１は組付けボード５０の導体路にはんだ付けされている。コンタクトピン４２のそれぞれ他方の端部には、（雄形）コネクタのための雌形コネクタ４０の開口４５を介して接近することができる。ハウジング４１は、一体成形された２つの第１のピン４３を有している。両ピン４３は、組付けボード５０の、ピン４３に適切に調和された円筒状の貫通孔内に係合し、この貫通孔と共に差込み結合部を形成する。付加的には、ハウジング４１が、一体成形された２つの第２のピン４４を有している。両ピン４４は、ソケット外側部分２１の、ピン４４に適切に調和された中空円筒状のウェブ２１９内に係合する。このウェブ２１９は円筒状のジオメトリ（幾何学的形状）を有している。第１のピン４３も第２のピン４４も六角ピンとして形成されている。この六角ピンは組付けボード５０の相応の円筒状の切欠きもしくは中空円筒状のウェブ２１９と共に差込み結合部を形成する。ソケット外側部分２１は、ウェブ２１９の領域に設けられた側壁２１５１に雌形コネクタ４０のための切欠きを有している。図２および図３に示した組付けボード５０の形状は、第２のチャンバ２１５の横断面に適切に調和されている。組付けボード５０はその組付け後にチャンバ２１５を閉鎖している。組付けボード５０に配置された構成部材（図示せず）、たとえばパルス始動装置の始動コンデンサおよび火花ギャップは第２のチャンバ２１５内に突入している。ソケット外側部分２１のウェブ２１８は組付けボード５０のための載着面２１８１を装備している。ウェブ２１８内で延びる、ソケットから遠い方の給電部１６の端部は、組付けボード５０に組み込まれた環状板状の金属コンタクト５２に溶接されているかまたははんだ付けされている。この目的のために、環状の金属コンタクト５２の内径もしくは金属コンタクト５２の環状開口５３は給電部１６の太さに調和されている。ソケット外側部分２１に一体成形された２つのウェブ２２０は、両ウェブ２２０に相応に適合された、組付けボード５０に設けられた貫通孔５１内に係合し、この貫通孔５１と共に差込み結合部を形成する。
【００１７】
第１のチャンバ２１４の側壁２１５１，２１３および底部には、棒状鉄心変圧器のための案内手段２１４２，２１３１，２１４４が設けられている。カバー２２は組付けボード５０をカバーしていて、ソケット外側部分２１の両チャンバ２１４，２１５を閉鎖している。
【図面の簡単な説明】
【００１８】
【図１】本発明の有利な実施例による高圧放電ランプのランプソケットの雌形コネクタの横断面図である。
【００１９】
【図２】図１に示した、組付けボードに組み付けた後の雌形コネクタの側面図である。
【００２０】
【図３】図２に示した組付けボードと雌形コネクタとの平面図である。
【００２１】
【図４】有利な実施例による高圧放電ランプのランプソケットのソケット外側部分の平面図である。
【００２２】
【図５】有利な実施例による高圧放電ランプの側面図である。
【符号の説明】
【００２３】
１  構成ユニット、  ２  ランプソケット、  ３  コンタクトエレメント、  １１  放電容器、  １２  外側バルブ、  １３，１４  電極、  １５，１６  給電部、  ２１  ソケット外側部分、  ２２  カバー、  ３１，３２  端部、  ３３  孔、  ４０  雌形コネクタ、  ４１  ハウジング、  ４２  コンタクトピン、  ４３，４４  ピン、  ４５  開口、  ５０  組付けボード、  ５１  貫通孔、  ５２  金属コンタクト、  ５３  環状開口、  ２１３  分離壁、  ２１４，２１５  チャンバ、  ２１７，２１８，２１９，２２０  ウェブ、  ４２１  端部、  ２１３１，２１４２，２１４４  案内手段、  ２１５１  側壁、  ２１７１  トラフ、  ２１８１  載着面
【図１】
0004800601.tif 000002
【図２】
0004800601.tif 000003
【図３】
0004800601.tif 000004
【図４】
0004800601.tif 000005
【図５】
0004800601.tif 000006